(57)【要約】【課題】良好な放熱効果を有する電動工具の電池充電器を提供する。【解決手段】ハウジング１０、充電回路から構成されるユニット２０、ファン３０及び導気セット４０及び表示装置５０を備える。ハウジングには、充電槽１１１、スロット１１４及び穿孔を有し、充電槽には通孔を有する。充電回路から構成されるユニットには、導通片２１を有する。ファンには、第一通風側３１と第二通風側３２とを有する。導気セットには、集気マスク４１と導気管４２とを有する。表示装置には支持部５１と二つのランプ５２とを有する。ランプはＬＥＤランプである。【選択図】図１
0003131105.tif 000002
【実用新案登録請求の範囲】
【請求項１】
電池を差し込む充電槽とスロットとを有し、充電槽に通孔を有するハウジングと、
ハウジング内に配置され、かつ充電槽から露出される導通片を有する充電回路から構成されるユニットと、
ハウジング内に配置され、充電回路から構成されるユニットと電気的に接続され、かつ充電回路から構成されるユニットから電源を供給されて回転し、かつ第一通風側と第二通風側とを有し、第一通風側はスロットと向かい合うように設けられるファンと、
ファンの第二通風側と通孔とに繋がれる導気セットと、
を備えることを特徴とする電動工具の電池充電器。
【請求項２】
通孔は、充電槽の底部に形成されることを特徴とする請求項１に記載の電動工具の電池充電器。
【請求項３】
充電槽は、導通片が配置される穿孔を数多く有することを特徴とする請求項１に記載の電動工具の電池充電器。
【請求項４】
ファンが回転する際、スロットの外部の気体はスロット、第一通風側、第二通風側、導気セット及び通孔を経過して充電槽内に送り込まれることを特徴とする請求項１に記載の電動工具の電池充電器。
【請求項５】
ファンが回転する際、充電槽内の気体は通孔、導気セット、第二通風側及び第一通風側を経過してスロットから排出されることを特徴とする請求項１に記載の電動工具の電池充電器。
【請求項６】
導気セットには集気マスクと導気管とを有し、集気マスクには口径の大きい第一開口部と口径の小さい第一開口部とを有し、集気マスクの第一開口部は第一通風側に設けられ、導気管は一端が集気マスクの第二開口部に連接され、他端が通孔に連接されることを特徴とする請求項１に記載の電動工具の電池充電器。
【請求項７】
異なる情報が表示されることにより電池の充電状態または充電完了状態が知らされる表示装置が含まれることを特徴とする請求項１に記載の電動工具の電池充電器。
【請求項８】
ハウジングには少なくとも二つの孔を有し、表示装置には支持部と二つのランプとを有し、支持部はハウジング内に固定され、二つのランプはハウジングの孔から露出するように支持部の上に配置され、かつ二つのランプは充電回路から構成されるユニットと電気的に接続され、異なるランプの色により電池の充電状態または充電完了状態が表示可能であることを特徴とする請求項７に記載の電動工具の電池充電器。
【請求項９】
充電回路から構成されるユニットは、導通片と電気的に接続される温度センサーを有することにより温度センサーを介して充電中の電池の温度を測定可能であることを特徴とする請求項１に記載の電動工具の電池充電器。
【請求項１０】
電池の温度が温度センサーの所定の温度値を超えた場合、ファンは作動を始め換気作業が行われ、電池の温度が温度センサーの所定の温度値以下である場合、ファンは作動を停止されることを特徴とする請求項９に記載の電動工具の電池充電器。
【考案の詳細な説明】
【技術分野】
【０００１】
本考案は、電動工具の付属品、詳しく言えば良好な放熱効果を有する電動工具の電池充電器に関するものである。
【背景技術】
【０００２】
一般の電動工具の電池充電器は、ケースの上に一列の排気孔を配置することにより、充電器が電池を充電する際に生じた熱エネルギー（熱気）を排気孔から排出するようになっている。
上述の充電器の排気孔は、充電器の内部に蓄積した熱エネルギーのみを排出する。しかし、実際、充電器が電池を充電する際に発生する熱エネルギーは電池からのものなので、高温と熱エネルギーとは電池本体とその周りとに集中する（即ちこのあたりの温度が一番高い）。かつ排気孔は自然流通方法により排気を行うため、充電器内の排気効果が制限されるだけでなく、電池とその周辺に対して即時放熱を行うことができない。従って、充電中に電池の温度が高くなり過ぎて焼損されてしまう事態が発生する。
また電動工具のバッテリーに温度センサーを増設することにより、温度が高過ぎる場合、充電を自動的に停止させることが可能である。この方法では、温度が高過ぎて電池を焼損してしまう事態を防止することは可能であるが、所定の時間内に電池の充電を完成させることができないため、充電時間は延長させられ、使用者を困らせるという問題がある。
【考案の開示】
【考案が解決しようとする課題】
【０００３】
本考案の主な目的は、良好な放熱効果を有する電動工具の電池充電器を提供することである。
【課題を解決するための手段】
【０００４】
上述の目的を達成するために、本考案による電動工具の電池充電器にはハウジング、充電回路から構成されるユニット、ファン及び導気セットを備える。ハウジングには電池を差し込むための充電槽、若干のスロット及び若干の穿孔を有し、充電槽には通孔を有する。充電回路から構成されるユニットはハウジング内に配置され、かつ穿孔を貫通して充電槽内に位置する若干の導通片を有する。ファンはハウジング内に配置され、充電回路から構成されるユニットと電気的に接続される。また充電回路から構成されるユニットは電源を供給してファンを駆動させ、ファンには第一通風側と第二通風側とを有し、第一通風側はスロットと向かい合うように設けられる。導気セットはハウジング内に配置され、集気マスクと導気管とを有し、集気マスクの一端はファンの第二通風側に連接され、導気管の一端は集気マスクの他端に連接され、導気管の他端はハウジングの通孔に連接されるため、ファンの作動により充電槽内の気体を通孔から流入させ、導気管、集気マスク、第二通風側、第一通風側及びスロットの順に経過させて強制排出するか、外部の気体をスロットから導き、第一通風側、第二通風側、集気マスク、導気管及び通孔の順に経過させて充電槽内に送り込むことが可能である。
【考案を実施するための最良の形態】
【０００５】
以下、本考案の特徴と目的とを実施例と図面とに基づいて説明する。
図１から図３に示すように、本実施例による電動工具の電池充電器１００にはハウジング１０、充電回路から構成されるユニット２０、ファン３０、導気セット４０及び表示装置５０を備える。
【０００６】
ハウジング１０には、上ハウジング１１と下ハウジング１２とを有する。上ハウジング１１と下ハウジング１２とは、ねじ１３により締め付けられて合わされる。また上ハウジング１１と下ハウジング１２とは配置空間を形成する。上ハウジング１１は頂面に電動工具の電池６０を差し込むための陥凹状の充電槽１１１を有し、充電槽１１１は底部に配置空間と繋がる通孔１１２を有し、充電槽１１１の側辺に配置空間と繋がる数多くの穿孔１１３を有する。また上ハウジング１１は頂面の他側に並列される数多くのスロット１１４と二つの孔１１５とを有する。
【０００７】
充電回路から構成されるユニット２０は、ハウジング１０の配置空間内に配置される。充電回路から構成されるユニット２０には、ハウジング１０の穿孔１１３を貫通して充電槽１１１の側辺に位置する若干の導通片２１を有するため、充電回路から構成されるユニット２０は充電槽１１１内に差し込まれた電池６０と電気的に導通し、電源を供給して電池の充電作業を行うことが可能である。
【０００８】
ファン３０は、ハウジング１０の配置空間内に配置され、第一通風側３１と第二通風側３２とを有し、第一通風側３１はハウジング１０のスロット１１４と向かい合うように設けられる。またファン３０は、充電回路から構成されるユニット２０と電気的に接続され、充電回路から構成されるユニット２０は電源を供給してファン３０の回転を駆動し、第一通風側３１は第二通風側３２の外側に位置する気体を排出する。
【０００９】
導気セット４０には、集気マスク４１と導気管４２とを有する。集気マスク４１は、ハウジング１０の配置空間内に配置され、かつ大面積（大口径）を有する第一開口部４１１と、小面積（小口径）を有しかつ第一開口部４１１と向かい合う第二開口部４１２とを有する。集気マスク４１の第一開口部４１１は、ファン３０の第二通風側３２に連接される。導気管４２はハウジング１０の配置空間内に配置され、一端は集気マスク４１の第二開口部４１２に連接され、他端はハウジング１０の通孔１１２に連接される。
【００１０】
表示装置５０には支持部５１と二つのランプ５２とを有し、支持部５１はハウジング１０の配置空間内に固定され、二つのランプ５２はハウジング１０の孔１１５から露出するように支持部５１上に配置されるＬＥＤランプである。二つのランプ５２は、充電回路から構成されるユニット２０と電気的に接続され、かつ異なるランプの色により電池６０の状態、即ち充電中または充電完了などの状態を表示することが可能である。
以上は本実施例による電動工具の電池充電器１００の部品についての説明である。続いて組立方法と使用の際の特徴とについて説明する。
【００１１】
まず電動工具の電池充電器１００と外部の電源とを接続させ、充電待ちの電池６０をハウジング１０の充電槽１１１内に差し込み、電池６０の導通片６１を充電回路から構成されるユニット２０の導通片２１と接続させることにより、充電回路から構成されるユニット２０を介して電池６０に電源を供給して充電作業を行うことが可能である。この時、一つのランプ５２は光（赤い光）を発することにより、電池６０の充電状態を表示する。電池６０の充電が完了した後、もう一つのランプは光（緑の光）を発することにより電池の充電完了を表示する。
【００１２】
電池の充電作業が進む際、充電回路から構成されるユニット２０はファン３０の回転を駆動し、気体の吸引力を生じさせることにより、図３に示すように充電槽１１１内の気体を通孔１１２から流入させ、導気管４２、集気マスク４１、第二通風側３２及び第一通風側３１を経過させてスロット１１４からハウジング１０の外部へ強制排出することが可能である。これにより、電池６０と電池の周囲の熱気とを強制排出し、充電中の電池６０の温度を下げることにより温度が高過ぎて電池６０を焼損してしまうという事態を防止することが可能である。
【００１３】
またファン３０は、即時的な排気作業（即ち電池を差し込んでから電池を取り出すまで回転作動を継続する作業）を行うか、電池を差し込んでから電池の充電作業が完了するまで回転作動を継続することが可能である。また充電回路から構成されるユニット２０に温度センサー（図中未表示）を配置し、それを導通片２１と電気的に接続させることにより、温度センサーを介して充電中の電池６０の温度を測定することが可能である。電池６０の温度が温度センサーの所定の温度値を超えた場合、ファン３０は作動を始め換気作業を行い、電池６０の温度が温度センサーの所定の温度値以下である場合、ファン３０は電源を無駄にしないように作動を停止させる。
【００１４】
ここで説明すべきは、集気マスク４１と連接されたファン３０の第一開口部４１１は直径が比較的大きいため、ファン３０が換気作業を行う際、直径が比較的小さい第二開口部４１２、導気管４２及び通孔１１２においての気体の流動速度を上げ、速やかに電池６０とその周囲とに抽気を行い、温度を効率よく下げることを可能にすることである。
【００１５】
また本実施例では、ファン３０は第二通風側３２において抽気を行い、第一通風側３１において排気を行い、第二通風側は集気マスク４１の第一開口部４１１と向かい合って電池６０とその周囲空間内との気体を引き出し、スロット１１４から排出し、抽気による放熱作業を行って温度を下げる。実際、ファン３０は第二通風側３２において排気を行い、第一通風側３１において抽気を行うように設けることが可能である。これにより、第二通風側は集気マスク４１の第一開口部４１１と向かい合って、スロット１１４の外部の気体を電池６０とその周囲空間内とへ抽入することにより気体の放熱を行い、温度を下げることが可能である。上述の二つの方法は、ファンの時計回りまたは逆時計回りの回転、またはファンの設置方向の変更により達成することが可能である。
【図面の簡単な説明】
【００１６】
【図１】本考案の一実施例における電動工具の電池充電器を示す立体分解図である。
【図２】本考案の一実施例における電動工具の電池充電器を示す説明図である。
【図３】本考案の一実施例における電動工具の電池充電器の気体の流動方向を示す断面図である。
【符号の説明】
【００１７】
１００:電動工具の電池充電器、１０：ハウジング、１１：上ハウジング、１１１：充電槽、１１２：通孔、１１３：穿孔、１１４：スロット、１１５：孔、１２：下ハウジング、１３：ねじ、２０：充電回路から構成されるユニット、２１：導通片、３０：ファン、３１：第一通風側、３２：第二通風側、４０：導気セット、４１：集気マスク、４１１：第一開口部、４１２：第二開口部、４２：導気管、５０：表示装置、５１：支持部、５２：ランプ、６０：電池、６１：導通片
【図１】
0003131105.tif 000003
【図２】
0003131105.tif 000004
【図３】
0003131105.tif 000005